(57)【要約】【課題】  内燃機関の重量の増加や寸法の大型化を招くことなく、ロストモーションスプリング保持部の剛性を高める。【解決手段】  内燃機関のシリンダヘッドの上面に結合されるカムカバー１３の内面に、カムシャフトを支持する複数の隔壁９１をカムシャフト軸線方向に並設し、カムカバー１３の内面に設けられてロストモーションスプリングを保持するロストモーションスプリング保持部９８を隔壁９１に連結したので、重量の増加や寸法の大型化を招くことなく、隔壁９１およびロストモーションスプリング保持部９８の剛性を相互に高めあって、カムシャフトおよびロストモーションスプリングを強固に支持することができる。しかもロストモーションスプリング保持部９８をカムカバー１３の上壁８１および側壁８２，８３に跨がるように設けたので、ロストモーションスプリング保持部９８の剛性をより一層高めることができる。【選択図】        図１２
2010019119.tif 000002
【特許請求の範囲】
【請求項１】
内燃機関のシリンダヘッド（１２）の上面に結合されるカバー部材（１３）の内部に、  クランクシャフトにより回転駆動されるカムシャフト（２６，２７）と、
前記カムシャフト（２６，２７）に設けたカム（７１〜７４）により揺動駆動されて機関弁（１９Ａ，１９Ｂ；２１Ａ，２１Ｂ）を開閉駆動する機関弁駆動部材（３１〜３５）と、
前記機関弁駆動部材（３１〜３５）を前記カム（７１〜７４）に当接する方向に付勢するロストモーションスプリング（４７）と、
を収納する内燃機関のカバー構造であって、
前記カバー部材（１３）の内面には、前記カムシャフト（２６，２７）を支持する複数の隔壁（９１）がカムシャフト軸線（Ｌ２）方向に並設され、前記カバー部材（１３）の内面に設けられて前記ロストモーションスプリング（４７）を保持するロストモーションスプリング保持部（９８）は、前記隔壁（９１）に連結されることを特徴とする内燃機関のカバー構造。
【請求項２】
前記カバー部材（１３）は少なくとも上壁（８１）および一対の側壁（８２，８３）を備えた下面開放の箱型形状であり、前記隔壁（９１）は前記カバー部材（１３）の上壁（８１）および一対の側壁（８２，８３）に一体に連結され、前記ロストモーションスプリング保持部（９８）は前記カバー部材（１３）の上壁（８１）および側壁（８２，８３）に跨がるように設けられることを特徴とする、請求項１に記載の内燃機関のカバー構造。
【請求項３】
前記ロストモーションスプリング保持部（９８）は、前記隔壁（９１）のカムシャフト軸線（Ｌ２）方向両面に連結されることを特徴とする、請求項１または請求項２に記載の内燃機関のカバー構造。
【請求項４】
前記隔壁（９１）には前記カムシャフト（２６，２７）が挿通されるカムシャフト挿通孔（９１ａ，９１ｂ）が形成され、前記ロストモーションスプリング保持部（９８）は、前記カムシャフト挿通孔（９１ａ，９１ｂ）と前記カバー部材（１３）の上壁（８１）との間に設けられることを特徴とする、請求項２または請求項３に記載の内燃機関のカバー構造。
【請求項５】
前記隔壁（９１）の吸排気方向中間部には前記カバー部材（１３）を前記シリンダヘッド（１２）に締結する中間締結ボス（９１ｅ）が形成され、前記カムシャフト挿通孔（９１ａ，９１ｂ）は、カムシャフト軸線（Ｌ２）方向に見て、前記中間締結ボス（９１ｅ）および前記ロストモーションスプリング保持部（９８）間に配置されることを特徴とする、請求項４に記載の内燃機関のカバー構造。
【発明の詳細な説明】
【技術分野】
【０００１】
本発明は、内燃機関のシリンダヘッドの上面に結合されるカバー部材の内部に、クランクシャフトにより回転駆動されるカムシャフトと、前記カムシャフトに設けたカムにより揺動駆動されて機関弁を開閉駆動する機関弁駆動部材と、前記機関弁駆動部材を前記カムに当接する方向に付勢するロストモーションスプリングとを収納する内燃機関のカバー構造に関する。
【背景技術】
【０００２】
下記特許文献１には、シリンダヘッド１０の上面に締結されてロッカーシャフト２４，２５を支持するロッカーシャフトホルダ２２に、ロッカーアーム２７をカムシャフト２０に向けて付勢するロストモーションばね５６を収納するばね収容部２２ｎを設けた内燃機関の可変動弁機構が記載されている。
【特許文献１】特開２００７−９２７２７号公報
【発明の開示】
【発明が解決しようとする課題】
【０００３】
ところで、ロストモーションスプリングはロッカーアームから大きな反力を受けるため、それを保持するロストモーションスプリング保持部は高い剛性が要求されるが、剛性を高めるべく単にロストモーションスプリング保持部の肉厚を増加させると重量の増加や寸法の大型化を招く問題があった。
【０００４】
本発明は前述の事情に鑑みてなされたもので、内燃機関の重量の増加や寸法の大型化を招くことなく、ロストモーションスプリング保持部の剛性を高めることを目的とする。
【課題を解決するための手段】
【０００５】
上記目的を達成するために、請求項１に記載された発明によれば、内燃機関のシリンダヘッドの上面に結合されるカバー部材の内部に、クランクシャフトにより回転駆動されるカムシャフトと、前記カムシャフトに設けたカムにより揺動駆動されて機関弁を開閉駆動する機関弁駆動部材と、前記機関弁駆動部材を前記カムに当接する方向に付勢するロストモーションスプリングとを収納する内燃機関のカバー構造であって、前記カバー部材の内面には、前記カムシャフトを支持する複数の隔壁がカムシャフト軸線方向に並設され、前記カバー部材の内面に設けられて前記ロストモーションスプリングを保持するロストモーションスプリング保持部は、前記隔壁に連結されることを特徴とする内燃機関のカバー構造が提案される。
【０００６】
また請求項２に記載された発明によれば、請求項１の構成に加えて、前記カバー部材は少なくとも上壁および一対の側壁を備えた下面開放の箱型形状であり、前記隔壁は前記カバー部材の上壁および一対の側壁に一体に連結され、前記ロストモーションスプリング保持部は前記カバー部材の上壁および側壁に跨がるように設けられることを特徴とする内燃機関のカバー構造が提案される。
【０００７】
また請求項３に記載された発明によれば、請求項１または請求項２の構成に加えて、前記ロストモーションスプリング保持部は、前記隔壁のシリンダ軸線方向両面に連結されることを特徴とする内燃機関のカバー構造が提案される。
【０００８】
また請求項４に記載された発明によれば、請求項２または請求項３の構成に加えて、前記隔壁には前記カムシャフトが挿通されるカムシャフト挿通孔が形成され、前記ロストモーションスプリング保持部は、前記カムシャフト挿通孔と前記カバー部材の上壁との間に設けられることを特徴とする内燃機関のカバー構造が提案される。
【０００９】
また請求項５に記載された発明によれば、請求項４の構成に加えて、前記隔壁の吸排気方向中間部には前記カバー部材を前記シリンダヘッドに締結する中間締結ボスが形成され、前記カムシャフト挿通孔は、カムシャフト軸線方向に見て、前記中間締結ボスおよび前記ロストモーションスプリング保持部間に配置されることを特徴とする内燃機関のカバー構造が提案される。
【００１０】
尚、実施の形態のカムカバー１３は本発明のカバー部材に対応し、実施の形態の第１、第２吸気バルブ１９Ａ，１９Ｂおよび第１、第２排気バルブ２１Ａ，２１Ｂは本発明の機関弁に対応し、実施の形態の吸気、排気カムシャフト２６，２７は本発明のカムシャフトに対応し、実施の形態の第１〜第５サブロッカーアーム３１〜３５は本発明の機関弁駆動部材に対応し、実施の形態のＨＩカム７１、第１、第２ＬＯカム７２，７３およびベース円カム７４は本発明のカムに対応し、実施の形態の吸気側側壁８２および排気側側壁８３は本発明の側壁に対応し、実施の形態の吸気カムシャフト挿通孔９１ａおよび排気カムシャフト挿通孔９１ｂは本発明のカムシャフト挿通孔に対応する。
【発明の効果】
【００１１】
請求項１の構成によれば、内燃機関のシリンダヘッドの上面に結合されるカバー部材の内面に、カムシャフトを支持する複数の隔壁をカムシャフト軸線方向に並設し、カバー部材の内面に設けられてロストモーションスプリングを保持するロストモーションスプリング保持部を隔壁に連結したので、重量の増加や寸法の大型化を招くことなく、隔壁およびロストモーションスプリング保持部の剛性を相互に高めあって、カムシャフトおよびロストモーションスプリングを強固に支持することができる。
【００１２】
また請求項２の構成によれば、カバー部材を少なくとも上壁および一対の側壁を備えた下面開放の箱型形状とし、隔壁をカバー部材の上壁および一対の側壁に一体に連結し、ロストモーションスプリング保持部をカバー部材の上壁および側壁に跨がるように設けたので、隔壁の剛性をカバー部材およびロストモーションスプリング保持部により高めてカムシャフトを強固に支持できるだけでなく、ロストモーションスプリング保持部を設けたことによるカバー部材の内部容積の損失を最小限に抑えることができる。
【００１３】
また請求項３の構成によれば、ロストモーションスプリング保持部を、隔壁のカムシャフト軸線方向両面に連結したので、ロストモーションスプリング保持部による隔壁の補強効果を一層高めることができる。
【００１４】
また請求項４の構成によれば、隔壁にカムシャフトが挿通されるカムシャフト挿通孔を形成し、ロストモーションスプリング保持部をカムシャフト挿通孔とカバー部材の上壁との間に設けたので、カムシャフト挿通孔の剛性をロストモーションスプリング保持部およびカバー部材の上壁により高め、カムシャフト挿通孔の変形を防止するとともにカムシャフトの確実な支持を可能にすることができるだけでなく、カムシャフト挿通孔およびロストモーションスプリング保持部の相対的な位置が変化するのを防止し、機関弁駆動部材をカムに向けて付勢するロストモーションスプリングの機能を有効に発揮させることができる。
【００１５】
また請求項５の構成によれば、隔壁の吸排気方向中間部にカバー部材をシリンダヘッドに締結する中間締結ボスが形成されており、カムシャフト挿通孔を、カムシャフト軸線方向に見て、中間締結ボスおよびロストモーションスプリング保持部間に配置したので、カムシャフト挿通孔の近傍の剛性を中間締結ボスおよびロストモーションスプリング保持部の両方により一層高めることができる。
【発明を実施するための最良の形態】
【００１６】
以下、本発明の実施の形態を添付図面に基づいて説明する。
【００１７】
図１〜図１４は本発明の実施の形態を示すものであり、図１はＶ型６気筒の内燃機関の左右のバンクを上方から見た図、図２は図１の２−２線拡大断面図、図３は図２の３−３線断面図、図４は図３の４−４線断面図、図５は図２に対応する機関弁の開弁時の作用説明図、図６は図２の要部拡大図、図７は図６の７方向矢視図、図８は図６の８−８線断面図、図９は６の９−９線断面図、図１０はサブロッカーアーム、ロッカーアームおよび油圧タペットの分解斜視図、図１１はカムカバーの上面の斜視図、図１２はカムカバーの下面の斜視図、図１３は図１１の１３−１３線断面図、図１４は図１３の１４−１４線断面図である。
【００１８】
図１〜図４に示すように、Ｖ型６気筒の内燃機関は、それぞれに３個の気筒が形成された左バンクＢＬおよび右バンクＢＲを備えており、左右のバンクＢＬ，ＢＲは吸気側が相互に対向して排気側が相互に離反するように配置される。各バンクＢＬ，ＢＲは、シリンダブロック１１の上面に結合されたシリンダヘッド１２と、シリンダヘッド１２の上面に結合されたカムカバー１３とを備えており、シリンダヘッド１２およびカムカバー１３の内部に、各気筒毎に設けられた吸気側および排気側の二つの可変動弁装置１４，１４が収納される。
【００１９】
尚、本明細書におけるシリンダ軸線Ｌ１方向、カムシャフト軸線Ｌ２方向および吸排気方向は図１に定義される。また上下方向については、シリンダ軸線Ｌ１方向のシリンダヘッド１２側を上方とし、シリンダブロック１１側を下方とする。またカムシャフト軸線Ｌ２方向に代えて気筒列方向を用いる場合があるが、両者は同義である。図１では、便宜的に左右のバンクＢＬ，ＢＲのシリンダ軸線Ｌ１，Ｌ１が共に紙面に垂直に描かれているが、実際はＶバンクの角度に応じて交差している。
【００２０】
以下、代表として左バンクＢＬの一つの気筒（図１に２−２断面線を施した気筒）の可変動弁装置１４の構造を説明する。
【００２１】
シリンダヘッド１２には、その下面に設けた燃焼室１５に開口する吸気ポート１６および排気ポート１７が形成されており、吸気ポート１６の下流端に形成された２個の吸気バルブ孔１８，１８が第１、第２吸気バルブ１９Ａ，１９Ｂのバルブヘッド１９ａ，１９ａで開閉されるとともに、排気ポート１７の上流端に形成された２個の排気バルブ孔２０，２０が第１、第２排気バルブ２１Ａ，２１Ｂのバルブヘッド２１ａ，２１ａで開閉される。第１、第２吸気バルブ１９Ａ，１９Ｂのバルブステム１９ｂ，１９ｂはシリンダヘッド１２に設けられたバルブガイド２２，２２に摺動自在に案内され、バルブガイド２２，２２の周囲に配置したバルブスプリング２３，２３で閉弁方向に付勢される。同様に、第１、第２排気バルブ２１Ａ，２１Ｂのバルブステム２１ｂ，２１ｂはシリンダヘッド１２に設けられたバルブガイド２４，２４に摺動自在に案内され、バルブガイド２４，２４の周囲に配置したバルブスプリング２５，２５で閉弁方向に付勢される。カムカバー１３に平行に支持された吸気カムシャフト２６および排気カムシャフト２７は、図示せぬクランクシャフトの回転に連動して該クランクシャフトの２分の１の速度で回転する。カムカバー１３には、吸気カムシャフト２６と平行に吸気ロッカーシャフト２８が固定され、また排気カムシャフト２７と平行に排気ロッカーシャフト２９が固定される。
【００２２】
図６〜図１０に示すように、吸気ロッカーシャフト２８には第１〜第５サブロッカーアーム３１〜３５の上端部が揺動自在に支持されており、その下方に第１、第２ロッカーアーム３６，３７の一端部がそれぞれ油圧タペット４８，４８を介して揺動自在に支持される。第１、第３、第５サブロッカーアーム３１，３３，３５はそれぞれローラ３８，４０，４２を備えるとともに、第２、第４サブロッカーアーム３２，３４はそれぞれ第１スリッパ面３９，４１を備える。第１、第２ロッカーアーム３６，３７は第２、第４サブロッカーアーム３２，３４の下方に配置されており、その中央部に前記第２、第４サブロッカーアーム３２，３４の第２スリッパ面４３，４４に当接するローラ４５，４６をそれぞれ備えるとともに、その他端部が第１、第２吸気バルブ１９Ａ，１９Ｂのバルブステム１９ｂ，１９ｂの上端に当接する。よって第２、第４サブロッカーアーム３２，３４が揺動すると、その第２スリッパ面４３，４４によってローラ４５，４６を押圧された第１、第２ロッカーアーム３６，３７が油圧タペット４８，４８を支点として揺動し、第１、第２吸気バルブ１９Ａ，１９Ｂを開閉駆動することができる（図５参照）。
【００２３】
第１、第３、第５サブロッカーアーム３１，３３，３５は、吸気ロッカーシャフト２８に枢支される部分から上向きに延びるロストモーションスプリング当接部３１ｃ，３３ｃ，３５ｃを備えており、各々のロストモーションスプリング当接部３１ｃ，３３ｃ，３５ｃにカムカバー１３に設けたロストモーションスプリング４７…を当接させることにより、第１、第３、第５サブロッカーアーム３１，３３，３５のローラ３８，４０，４２が吸気カムシャフト２６に向けて付勢される。
【００２４】
可変動弁装置１４は、第２〜第４サブロッカーアーム３２，３３，３４を連結および連結解除する内側連結機構５１を備える。
【００２５】
内側連結機構５１は、第２〜第４サブロッカーアーム３２，３３，３４にそれぞれ形成された第１ピン孔３２ａ、第２ピン孔３３ａおよび第３ピン孔３４ａを備えており、第１ピン孔３２ａには円柱状の第１連結ピン５４が、第２ピン孔３３ａには円柱状の第２連結ピン５５が、第３ピン孔３４ａにはカップ状の第１ストッパピン５６がそれぞれ摺動自在に嵌合しており、第１ストッパピン５６はリターンスプリング５７の弾発力で第１、第２連結ピン５４，５５に向かって付勢される。
【００２６】
この状態では第１、第２連結ピン５４，５５の境界が第２、第３サブロッカーアーム３２，３３の境界に一致し、かつ第２連結ピン５５および第１ストッパピン５６の境界が第３、第４サブロッカーアーム３３，３４の境界に一致するため、第２〜第４サブロッカーアーム３２，３３，３４は相互に分離して各々独立して揺動することができる。
【００２７】
一方、第１連結ピン５４の外側端部が臨む油室５８（図８参照）に油圧を供給すると、リターンスプリング５７の弾発力に抗して第１、第２連結ピン５４，５５および第１ストッパピン５６が移動し、第１連結ピン５４により第２、第３サブロッカーアーム３２，３３が一体に結合され、かつ第２連結ピン５５により第３、第４サブロッカーアーム３３，３４が一体に結合されることにより、第２〜第４サブロッカーアーム３２，３３，３４が一体に結合される。
【００２８】
以上のように、内側連結機構５１により、第２〜第４サブロッカーアーム３２，３３，３４が各々独立して揺動可能な状態と、第２〜第４サブロッカーアーム３２，３３，３４が一体に揺動可能な状態とを切り換えることができる。
【００２９】
また変動弁装置１４は、第１、第２サブロッカーアーム３１，３２間に設けられた第１外側連結機構５２と、第４、第５サブロッカーアーム３４，３５間に設けられた第２外側連結機構５３とを備える。
【００３０】
第１外側連結機構５２は、第１、第２サブロッカーアーム３１，３２に形成された第４、第５ピン孔３１ａ，３２ｂに軸方向に隙間なく嵌合する円柱状の第１ダミーピン５９を備えており、従って第１、第２サブロッカーアーム３１，３２は常時連結されて一体に揺動する。
【００３１】
第２外側連結機構５３は、第４、第５サブロッカーアーム３４，３５に形成された第６、第７ピン孔３４ｂ，３５ａにそれぞれ摺動自在に嵌合するカップ状の第２ストッパピン６０および円柱状の第３連結ピン６１を備えており、第２ストッパピン６０はリターンスプリング６２で第３連結ピン６１に向けて付勢される。
【００３２】
第２ストッパピン６０の軸方向端部が臨む油室６３ｂに油圧を供給すると、リターンスプリング６２の弾発力と相まって第２ストッパピン６０および第３連結ピン６１が移動し、第２ストッパピン６０および第３連結ピン６１の境界が第４、第５サブロッカーアーム３４，３５の境界に一致するため、第４、第５サブロッカーアーム３４，３５は相互に分離して各々独立して揺動することができる。一方、第３連結ピン６１の軸方向端部が臨む油室６３ａに油圧を供給すると、リターンスプリング６２の弾発力に抗して第２ストッパピン６０および第３連結ピン６１が移動し、第３連結ピン６１により第４、第５サブロッカーアーム３４，３５が結合されて一体に揺動することができる。
【００３３】
第１、第２外側連結機構５２，５３の構造は上述したものに限定されず、第１外側連結機構５２に摺動自在にピンを設けて第１、第２サブロッカーアーム３１，３２を連結および連結解除可能にしても良く、また第２外側連結機構５３のピンを廃止して第４、第５サブロッカーアーム３４，３５を常時連結解除しても良い。
【００３４】
次に、図１１〜図１４に基づいてカムカバー１３の構造を説明する。
【００３５】
カムカバー１３はシリンダヘッド１２の上面に結合される下面が開放した箱形状の部材であって、上壁８１と、吸気側側壁８２と、排気側側壁８３と、図示せぬトランスミッション側に位置する端壁８４と、端壁８４の反対側に位置するタイミングトレーン室壁８５とを備える。タイミングトレーン室壁８５は、そこに結合されるカバー部材８６と協働して、吸気カムシャフト２６に設けた吸気スプロケット２６ａと、排気カムシャフト２７に設けた排気スプロケット２７ａと、吸気スプロケット２６ａおよび排気スプロケット２７ａに巻き掛けたタイミングチェーン８７とよりなるタイミングトレーン８８を収納するタイミングトレーン室８９を区画する（図１３参照）。尚、吸気カムシャフト２６の軸端と吸気スプロケット２６ａとの間には、該吸気カムシャフト２６の位相を連続的に変更して第１、第２吸気バルブ１９Ａ，１９Ｂのバルブタイミングを変更するバルブタイミング変更装置９０が設けられる。
【００３６】
図１２に最も良く示されるように、カムカバー１３の内面には、上壁８１、吸気側側壁８２および排気側側壁８３に接続するように、４枚の隔壁９１…が一体に形成される。各隔壁９１には、吸気カムシャフト２６が回転自在に貫通する吸気カムシャフト挿通孔９１ａと、排気カムシャフト２７が回転自在に挿通される排気カムシャフト挿通孔９１ｂと、吸気ロッカーシャフト２８が挿通される吸気ロッカーシャフト挿通孔９１ｃと、排気ロッカーシャフト２９が挿通される排気ロッカーシャフト挿通孔９１ｄとが形成され、端壁８４にも前記吸気カムシャフト挿通孔９１ａ…、排気カムシャフト挿通孔９１ｂ…、吸気ロッカーシャフト挿通孔９１ｃ…および排気ロッカーシャフト挿通孔９１ｄ…に対して同軸上に位置する吸気カムシャフト挿通孔８４ａ、排気カムシャフト挿通孔８４ｂ、吸気ロッカーシャフト挿通孔８４ｃおよび排気ロッカーシャフト挿通孔８４ｄが形成される。
【００３７】
更に、各隔壁９１の吸排気方向中央部にはシリンダ軸線Ｌ１方向に延びる中間締結ボス９１ｅが形成されるともに、各隔壁９１の吸排気方向両端部が吸気側側壁８２および排気側側壁８３に接続する部分には、シリンダ軸線Ｌ１方向に延びる各２個の締結ボス９１ｆ，９１ｆが形成される。
【００３８】
各隔壁９１は、吸気カムシャフト挿通孔９１ａおよび排気カムシャフト挿通孔９１ｂが下方かつ吸排気方向外側に位置するとともに、吸気ロッカーシャフト挿通孔９１ｃおよび排気ロッカーシャフト挿通孔９１ｄが上方かつ吸排気方向内側に位置しており、吸気カムシャフト挿通孔９１ａと吸気ロッカーシャフト挿通孔９１ｃと中間締結ボス９１ｅとに挟まれた位置に下面が開放した凹部９１ｇが形成され、かつ排気カムシャフト挿通孔９１ｂと排気ロッカーシャフト挿通孔９１ｄと中間締結ボス９１ｅとに挟まれた位置に下面が開放した凹部９１ｇが形成される。従って、４枚の隔壁９１…で仕切られた３個の動弁室９２…（図１３参照）は、隔壁９１…に形成された各２個の凹部９１ｇ，９１ｇで相互に連通する。
【００３９】
また図１１に最も良く示されるように、カムカバー１３の上壁８１のタイミングトレーン室８９側の端部には一対の膨出部８１ａ，８１ｂが突出しており、これらの膨出部８１ａ，８１ｂの一端側は連通孔８１ｃ，８１ｃ（図１４参照）を介してタイミングトレーン室８９側に最も近い動弁室９２に連通するとともに、他端側はタイミングトレーン室８９に連通する。カムカバー１３の上壁８１の吸気側には気筒列に沿う方向に延びる長方形のブリーザチャンバ９３が突設される。ブリーザチャンバ９３の内部空間はカムカバー１３の上壁８１を貫通する複数の連通孔８１ｄ…を介して複数の動弁室９２…に連通しており、ブリーザチャンバ９３の上面開口は複数本のボルト９４…で固定されるブリーザチャンバカバー（図示せず）で閉塞される。
【００４０】
カムカバー１３の上壁８１には、２本のカムシャフト軸線Ｌ２に沿うように２本の外側リブ９６，９７が突設されており、吸気側の外側リブ９６は一方の膨出部８１ａからブリーザチャンバ９３を通過して延び、排気側の外側リブ９７は他方の膨出部８１ｂから延びている。更に、カムカバー１３の上壁８１には、前記４本のプラグチューブ７０が嵌合する３個のプラグチューブ嵌合孔８１ｅ…が形成される。
【００４１】
図１２から明らかなように、カムカバー１３の内面の上壁８１、吸気側側壁８２および排気側側壁８３が接続する角部には、ロストモーションスプリング４７…を保持する円筒状のロストモーションスプリング保持部９８…が一体に形成される。各動弁室９２には、吸気側側壁８２に接続する３個のロストモーションスプリング保持部９８…と、排気側側壁８３に接続する３個のロストモーションスプリング保持部９８…とが設けられており、前記３個のロストモーションスプリング保持部９８…のうちのカムシャフト軸線Ｌ２方向両端側の２個のロストモーションスプリング保持部９８，９８は、カムカバー１３の上壁８１および吸気側側壁８２（あるいは排気側側壁８３）に加えて、隔壁９１にも接続されている。そしてロストモーションスプリング４７…を収納するロストモーションスプリング保持部９８…の外側開口部は、スプリングキャップ９９…を螺合することで閉塞される（図２参照）。
【００４２】
カムカバー１３の上壁８１の内面には、その外面に設けられた前記一対の外側リブ９６，９７に対応するように、一対の内側リブ１００，１０１が２本のカムシャフト軸線Ｌ２に沿って突設される。両内側リブ１００，１０１は、各９個のロストモーションスプリング保持部９８…の内側開口部の近傍を接続するように断続的に形成される。
【００４３】
また最もトランスミッション側の隔壁９１には、その両端の締結ボス９１ｆ，９１ｆと、その中央の中間締結ボス９１ｅとの間に潤滑用の油路９１ｈ，９１ｈが形成される。
【００４４】
図３および図４から明らかなように、上述のように構成されたカムカバー１３は、その４個の中間締結ボス９１ｅ…を貫通する４本のボルト１０２…と、その８個の締結ボス９１ｆ…を貫通する８本のボルト１０３…とで、シリンダヘッド１２の上面に締結される。４個の中間締結ボス９１ｅ…の下方にはシリンダヘッド１２に形成された４個の締結ボス１２ａ…が位置しており、４本のボルト１０２…は、カムカバー１３の中間締結ボス９１ｅ…を貫通してシリンダヘッド１２の締結ボス１２ａ…に螺合する。このとき、第１、第２外側連結機構５２，５３がプラグチューブ７０と一対のボス部１２ａ，１２ａとの間に配置されるので、可変動弁装置１４…のカムシャフト軸線Ｌ２方向の寸法を小型化することができる（図３参照）。
【００４５】
次に、上記構成を備えたカムカバー１３の作用を説明する。
【００４６】
カムカバー１３の内面に複数の隔壁９１…をカムシャフト軸線Ｌ２方向に並設し、カムカバー１３の内面に設けられてロストモーションスプリング４７…を保持するロストモーションスプリング保持部９８…を、カムカバー１３の上壁８１および吸気側側壁８２（あるいは排気側側壁８３）だけでなく、隔壁９１…の両面にも一体に連結したので、重量の増加や寸法の大型化を招くことなく、隔壁９１…およびロストモーションスプリング保持部９８…の剛性を相互に高めあって、吸気カムシャフト２６、排気カムシャフト２７、吸気ロッカーシャフト２８および排気ロッカーシャフト２９およびロストモーションスプリング４７…を強固に支持することができ、しかもロストモーションスプリング保持部９８を設けたことによるカムカバー１３の内部容積の損失を最小限に抑えることができる。  特に、隔壁９１に設けた吸気カムシャフト挿通孔９１ａおよび排気カムシャフト挿通孔９１ｂとカムカバー１３の上壁８１との間にロストモーションスプリング保持部９８…を設けたので、吸気カムシャフト挿通孔９１ａおよび排気カムシャフト挿通孔９１ｂの周辺の剛性をロストモーションスプリング保持部９８…およびカムカバー１３の上壁８１により高めることができる。これにより、吸気カムシャフト挿通孔９１ａおよび排気カムシャフト挿通孔９１ｂの変形を防止するとともに吸気カムシャフト２６および排気カムシャフト２７の確実な支持を可能にすることができるだけでなく、吸気カムシャフト挿通孔９１ａ、排気カムシャフト挿通孔９１ｂおよびロストモーションスプリング保持部９８…の相対的な位置が変化するのを防止し、第１〜第５サブロッカーアーム３１〜３５をカム７１〜７４に向けて付勢するロストモーションスプリング４７…の機能を有効に発揮させることができる。
【００４７】
また吸気カムシャフト挿通孔９１ａおよび排気カムシャフト挿通孔９１ｂを、カムシャフト軸線Ｌ２方向に見て、隔壁９１の中間締結ボス９１ｅおよびロストモーションスプリング保持部９８間に配置したので、吸気カムシャフト挿通孔９１ａおよび排気カムシャフト挿通孔９１ｂの近傍の剛性を中間締結ボス９１ｅおよびロストモーションスプリング保持部９８の両方により一層高めることができる。
【００４８】
以上、本発明の実施の形態を説明したが、本発明はその要旨を逸脱しない範囲で種々の設計変更を行うことが可能である。
【００４９】
例えば、実施の形態では第１〜第５サブロッカーアーム３１〜３５および第１、第２ロッカーアーム３６，３７を備えているが、本発明はサブロッカーアームを持たない可変動弁機構に対しても適用することができる。
【００５０】
また実施の形態では第１〜第５サブロッカーアーム３１〜３５を吸気ロッカーシャフト２８および排気ロッカーシャフト２９によって支持しているが、それらを油圧タペットを介して支持することができる。
【００５１】
また実施の形態では吸気カムシャフト２６および排気カムシャフト２７をタイミングチェーン８７で連結して相互に同方向に駆動しているが、吸気カムシャフト２６および排気カムシャフト２７をギヤで連結して相互に逆方向に駆動することができる。
【００５２】
また実施の形態ではＶ型６気筒内燃機関を例示したが、本発明はＶ型６気筒以外のＶ型多気筒内燃機関や直列多気筒内燃機関に対しても適用することができる。
【図面の簡単な説明】
【００５３】
【図１】Ｖ型６気筒の内燃機関の左右のバンクを上方から見た図
【図２】図１の２−２線拡大断面図
【図３】図２の３−３線断面図
【図４】図３の４−４線断面図
【図５】図２に対応する機関弁の開弁時の作用説明図
【図６】図２の要部拡大図
【図７】図６の７方向矢視図
【図８】図６の８−８線断面図
【図９】図６の９−９線断面図
【図１０】サブロッカーアーム、ロッカーアームおよび油圧タペットの分解斜視図
【図１１】カムカバーの上面の斜視図
【図１２】カムカバーの下面の斜視図
【図１３】図１１の１３−１３線断面図
【図１４】図１３の１４−１４線断面図
【符号の説明】
【００５４】
１２        シリンダヘッド
１３        カムカバー（カバー部材）
１９Ａ，１９Ｂ          第１、第２吸気バルブ（機関弁）
２１Ａ，２１Ｂ          第１、第２排気バルブ（機関弁）
２６        吸気カムシャフト（カムシャフト）
２７        排気カムシャフト（カムシャフト）
３１        第１サブロッカーアーム（機関弁駆動部材）
３２        第２サブロッカーアーム（機関弁駆動部材）
３３        第３サブロッカーアーム（機関弁駆動部材）
３４        第４サブロッカーアーム（機関弁駆動部材）
３５        第５サブロッカーアーム（機関弁駆動部材）
４７        ロストモーションスプリング
７１        ＨＩカム（カム）
７２        第１ＬＯカム（カム）
７３        第２ＬＯカム（カム）
７４        ベース円カム（カム）
８１        上壁
８２        吸気側側壁（側壁）
８３        排気側側壁（側壁）
９１        隔壁
９１ａ      吸気カムシャフト挿通孔（カムシャフト挿通孔）
９１ｂ      排気カムシャフト挿通孔（カムシャフト挿通孔）
９１ｅ      中間締結ボス
９８        ロストモーションスプリング保持部
Ｌ２        カムシャフト軸線
【図１】
2010019119.tif 000003
【図２】
2010019119.tif 000004
【図３】
2010019119.tif 000005
【図４】
2010019119.tif 000006
【図５】
2010019119.tif 000007
【図６】
2010019119.tif 000008
【図７】
2010019119.tif 000009
【図８】
2010019119.tif 000010
【図９】
2010019119.tif 000011
【図１０】
2010019119.tif 000012
【図１１】
2010019119.tif 000013
【図１２】
2010019119.tif 000014
【図１３】
2010019119.tif 000015
【図１４】
2010019119.tif 000016